【手続補正書】
【提出日】平成26年6月18日(2014.6.18)
【手続補正１】
【補正対象書類名】特許請求の範囲
【補正対象項目名】全文
【補正方法】変更
【補正の内容】
【特許請求の範囲】
【請求項１】
第１の周波数で振動するように構成された第１の振動子と、
第２の周波数で前記第１の振動子と位相がずれた状態で振動するように構成された第２の振動子とを含み、前記第１の振動子および第２の振動子は、振動子ベースの共振器に対する外部擾乱に対して同様の様態で応動するように配置され、
少なくとも前記第１の振動子および第２の振動子の振幅が互いに所定の関係を含む場合に出力信号を生成するように構成された検出回路を含む振動子ベースの共振器。
【請求項２】
前記所定の関係は、前記第１の振動子および第２の振動子の振幅が互いに等しいことを含む請求項１に記載の共振器。
【請求項３】
前記第１の周波数および前記第２の周波数は、同じ周波数を含む請求項１に記載の共振器。
【請求項４】
前記第１の振動子を前記第１の周波数で駆動するように構成された第１の駆動装置をさらに含む請求項１に記載の共振器。
【請求項５】
前記第２の振動子は駆動されない請求項４に記載の共振器。
【請求項６】
前記第２の振動子を前記第２の周波数で駆動するように構成された第２の駆動装置をさらに含み、前記第１の周波数および第２の周波数は異なる請求項２に記載の共振器。
【請求項７】
フレームと、
該フレームに対して振動するように構成された第１の振動子と、
該第１の振動子を前記第１の振動子の共振周波数で駆動するように構成された第１の駆動装置と、
前記第１の振動子に取り付けられた第１の相対位置スイッチの第１の半体と、
前記第１の振動子と同じ共振周波数を有する第２の振動子とを含み、前記第１の振動子および第２の振動子は、前記フレームに対する外部擾乱に対して同じ様態で応動するように設計され、さらに、
前記第２の振動子に取り付けられた前記第１の相対位置スイッチの第２の半体を含み、前記第１の振動子が振動すると、前記第１の振動子および第２の振動子間に相対的動きが発生して、前記第１の相対位置スイッチの前記第１のスイッチ半体および第２のスイッチ半体が互いにすれ違う際、各振動ごとに前記第１の相対位置スイッチが閉鎖状態を通過する共振器。
【請求項８】
前記第２の振動子を該第２の振動子の共振周波数で前記第１の振動子と位相がずれた状態で駆動するように構成された第２の駆動装置をさらに含む請求項７に記載の共振器。
【請求項９】
前記第２の振動子は駆動されない請求項７に記載の共振器。
【請求項１０】
前記第１の相対位置スイッチは、各振動ごとの閉鎖状態において電気インパルスを通すように構成された請求項７に記載の共振器。
【請求項１１】
前記第１の相対位置スイッチの前記第１の半体および第２の半体は平面導体を含む請求項１０に記載の共振器。
【請求項１２】
前記平面導体はそれぞれ直線状の縁部を含み、該縁部は平行であり、前記第１の相対位置スイッチが前記閉鎖状態になると、前記縁部は微小ギャップによって互いに分離される請求項１１に記載の共振器。
【請求項１３】
前記第１の相対位置スイッチは電子トンネルチップを含む請求項１２に記載の共振器。
【請求項１４】
前記第１の相対位置スイッチは容量スイッチである請求項７に記載の共振器。
【請求項１５】
前記第１の相対位置スイッチは光スイッチである請求項７に記載の共振器。
【請求項１６】
前記第１の相対位置スイッチは、各振動ごとに閉鎖状態にある際、２値で変化する電気信号を出力して、該共振器の出力がデジタル信号となるように構成された請求項７に記載の共振器。
【請求項１７】
前記第１の駆動装置は、前記第１の振動子へ動作的に接続された電極を含む請求項７に記載の共振器。
【請求項１８】
前記第１の駆動装置は、共振動作を維持する電気信号を生成するように構成されたフィードバック回路を含む請求項７に記載の共振器。
【請求項１９】
前記第１の駆動装置は、前記第１の振動子を駆動するように構成された圧電変換素子を含む請求項７に記載の共振器。
【請求項２０】
第１の半体および第２の半体を含む絶対位置スイッチをさらに含み、該絶対位置スイッチの前記第１の半体は前記第１の振動子に取り付けられ、前記絶対位置スイッチの前記第２の半体は前記フレームに取り付けられて、前記第１の振動子の各振動ごとに前記絶対位置スイッチが閉鎖状態を通る請求項７に記載の共振器。
【請求項２１】
第１の半体および第２の半体を有する第２の相対位置スイッチをさらに含み、該第２の相対位置スイッチの前記第１の半体および第２の半体はそれぞれ、前記第１の相対位置スイッチの前記第１の半体および第２の半体の上方に配置されて、前記第１の振動子上の任意の所与の相対位置スイッチ半体から電流が該所与の相対位置スイッチ半体と整列した前記第２の振動子上の前記相対位置スイッチ半体のうちのいずれかへ通ることができる請求項７に記載の共振器。
【請求項２２】
フレームを設け、
第１の振動子を前記フレームに対して振動するように構成し、
前記第１の振動子の共振周波数で前記第１の振動子を駆動し、
前記第１の振動子に相対位置スイッチの第１の半体を取り付け、
前記第１の振動子と同じ共振周波数を有する第２の振動子を設け、前記第１の振動子および第２の振動子は、前記フレームに対する外部擾乱に対して同じ様態で応動するように設計され、前記第１の振動子が振動すると、前記第１の振動子および第２の振動子間に相対的動きが発生し、
前記相対位置スイッチの第２の半体を前記第２の振動子に取り付けて、各振動ごとに前記第１のスイッチ半体および第２のスイッチ半体が互いにすれ違うと、前記相対位置スイッチが閉鎖状態を通り、
前記相対位置スイッチの連続する閉鎖状態間の差として振動周期を判定することを含む、時間領域スイッチを有する共振器を提供する方法。
【請求項２３】
前記第２の振動子の共振周波数で前記第２の振動子を前記第１の振動子と位相がずれた状態で駆動するステップをさらに含む請求項２２に記載の方法。
【請求項２４】
絶対位置スイッチを前記第１の振動子および前記フレームに取り付けて、前記第１の振動子の各振動ごとに前記絶対位置スイッチが閉鎖状態を通るようにするステップをさらに含む請求項２２に記載の方法。
【請求項２５】
前記絶対位置スイッチの出力に基づいて時変加速度を判定し、前記振動期間のスキューを前記時変加速度に基づいて補償するステップをさらに含む請求項２４に記載の方法。
【請求項２６】
第１の振動子をフレームに対して振動するように構成する手段と、
前記第１の振動子の共振周波数で前記第１の振動子を駆動する手段と、
前記第１の振動子に相対位置スイッチの第１の半体を取り付ける手段と、
前記第１の振動子と同じ共振周波数を有する第２の振動子を提供する手段とを含み、前記第１の振動子および第２の振動子は、前記フレームに対する外部擾乱に対して同じ様態で応動するように設計され、前記第１の振動子が振動すると、前記第１の振動子および第２の振動子間に相対的動きが発生し、さらに、
前記相対位置スイッチの第２の半体を前記第２の振動子に取り付け、各振動ごとに前記第１のスイッチ半体および第２のスイッチ半体が互いにすれ違うと、前記相対位置スイッチが閉鎖状態を通るようにする手段と、
前記相対位置スイッチの連続する閉鎖状態間の差として振動周期を判定する手段とを含む、時間領域スイッチを備えた共振器を構成する装置。
【請求項２７】
第１の周波数で振動するように構成され、相対位置スイッチの第１の半体を含む第１の振動子と、
前記第１の周波数で前記第１の振動子と位相がずれた状態で振動するように構成された第２の振動子とを含み、前記第１の振動子および第２の振動子は、双振動子共振器に対する外部擾乱に対して同様の様態で応動するように配置され、
前記第２の振動子は、前記相対位置スイッチの第２の半体を含み、
前記第１のスイッチ半体および第２のスイッチ半体は、該第１のスイッチ半体および第２のスイッチ半体が互いに近くを通過すると、閉鎖状態を生ずるように構成された双振動子共振器。
【請求項２８】
前記第２の振動子は、前記第１の周波数で前記第１の振動子とは位相がずれた状態で活性駆動される請求項２７に記載の双振動子共振器。
【請求項２９】
前記第１のスイッチ半体および第２のスイッチ半体は容量スイッチを含む請求項２７に記載の双振動子共振器。
【請求項３０】
前記第１のスイッチ半体および第２のスイッチ半体は光スイッチを含む請求項２７に記載の双振動子共振器。